(57)【要約】      （修正有）【課題】シャッター式雨戸に簡単に取付け可能とした日除け装置を提供すること。【解決手段】シート巻取りドラム１と、支持枠２と、上下端取付け挟持ブラケット有した支柱３、３に基部を連結され先端をシート巻取りドラム１から繰り出されたシート４の先端の張出用バー５の両端に連結された一対の支持アーム６、６とを備え、該取付け挟持ブラケット１１、１２には該開口部Ａのガイドレールに嵌合する連結金具３４を備えているとともに、前記支柱３、３の上端の取付け挟持ブラケット１１にはシート巻取りドラム１の支持枠２を保持する受溝１１ｇとクランプ部材１３とを設けて前記一対の支柱３により前記支柱枠２をシート巻取りドラム１の軸方向の任意の位置で保持可能とした。【選択図】図１
2007113371.tif 000002
【特許請求の範囲】
【請求項１】
シート巻取ドラムと、シート巻取りドラムの両端を支持する、支持枠と、該支持枠を建物のシャッター式雨戸の上端に沿って、保持するために、該シャッター式雨戸の開口部の幅方向両端のガイドレール上下間に上下移動可能な一対の支柱と、該一対の支柱に基部を連結され先端をシート巻取りドラムから繰り出されたシートの先端の張出用バーの両端に連結された一対の支持アームとを備え、前記支柱の上下端には、前記シャッター式雨戸のガイドレールへの取付け挟持ブラケットを有し、該取付け挟持ブラケットには、シャッター式雨戸ガイドレールに嵌合する係止部を備えていることを特徴とするシャッター式日除け装置。
【請求項２】
前記一対の支持アームの先端は張出用バーの両端に垂直軸廻りで回動自在に連結され、前記支柱アームの基部は、支柱に垂直軸廻りと、水平軸廻りで、回動角度調整可能に連結してあり、前記支柱アームの基部は、前記支柱に対して、上下方向の任意の位置で固定可能としてあることを特徴とする、請求項１に記載のシャッター式日除け装置。
【請求項３】
前記一対の支柱上端の取付け挟持ブラケットには、該一対の支柱に対向する軸孔が設けられ、該軸孔に桿を挿入し前記一対の支柱を強固固定することを特徴とする請求項１に記載のシャッター式日除け装置。
【請求項４】
前記支柱の上端の取付け挟持ブラケットには、シート巻取りドラムの支持枠を保持する受溝と、クランプ部材とを設けて前記一対の支柱により前記支持枠を、シート巻取りドラムの軸方向の任意の位置で保持可能としたことを特徴とする請求項１に記載するシャッター式日除け装置。
【発明の詳細な説明】
【技術分野】
【０００１】  本発明は、建物のシャッター式雨戸のガイドレールに取付けて室内の日射量の調節行うシャッター式日除けに関するものである。
【背景技術】
【０００２】  従来、この種の日除けは、シャッター雨戸直接には、取付け不可能である。
【発明の開示】
【発明が解決しようとする課題】
【０００３】  本発明は、シャッター式雨戸幅がまちまちであってもシート巻取りドラムの軸方向長さを調整しなくても対応して体裁よく、簡単且つ容易に設置可能としたシャッター式日除けを提供することにある。【０００４】  前記目的を達成するために、本発明は、シート巻取りドラムとシート巻取りドラムの両端を支持する支持枠と、該支持枠を建物のシャッター式雨戸のガイドレールの上端に沿って、保持するために、シャッター式雨戸の開口部の幅方向両端の該ガイドレール上下間に上下移動可能な一対の支柱と該一対の支柱に基部を連結され、先端をシート巻取りドラムから繰り出されたシートの先端の張出用バーの両端に連結された一対の支持アームとを備え、前記支柱の上下端には、前記シャッター式雨戸ガイドレールへの取付挟持ブラケットを有し、該取付挟持ブラケットには、該シャッター式雨戸ガイドレールに嵌合する、係止部を備えていると共に、前記支柱の上端の取付挟持ブラケットには、シート巻取りドラムの支持枠を保持する受溝と、クランプ部材々を設けて前記一対の支柱により前記支柱枠をシート巻取りドラムの軸方向の任意の位置で、保持可能としたことを特徴としている。【０００５】上記構成によれば、支柱の上端には、シート巻取りドラムの支持枠を保持する受溝とクランプ部材とを備えた取付挟持ブラケットが装着されているため、シート巻取りドラムの支持枠をシート巻取りドラムの軸方向の任意の位置で支柱により保持させる作業を容易化することが出来る。【０００６】  さらに、前記支柱は、一対のガイドレールの上下間に、上下移動が可能で、且つ、シャッター式雨戸ガイドレールへの取付挟持ブラケットを有し、該取付挟持ブラケットには、ガイドレールに嵌合する、挟持係止部を備えているため一対のガイドレールに容易に設置することができ、しかも、ネジで係止部をガイドレールにしっかり固定することが出来る。また、前記一対の支持アームの先端は、張出用バーの両端に垂直軸廻りで、回動自在に連結され、前記支持アームの基部は、支柱に垂直軸廻りと水平軸廻りで回動角度調整可能に連結してあり、前記支持アームの基部は、前記支柱に対して上下方向に任意の位置で固定可能としてあることを特徴としている。【０００７】  上記構成によれば、一対の支柱の設置間隔が、前記一対のガイドレールの幅によって種々の変化しても、幅に対応して、一対の支持アームを水平視でハの字状の任意の角度に展開して、起伏可能に支持させることができ、シートに幅方向のたるみ等を、発生させることなく良好な張出し状態を維持させることが出来る。また、前記支持アームの基部は、前記支柱に対して上下方向の任意の位置で固定可能としてあるため、シートによる前記ガイドレールの上下方向の遮蔽量を広い範囲に亘って任意に調節することが出来る。【０００８】  さらに、前記一対の支柱上端の取付挟持ブラケットには、該一対の支柱に対向状に軸孔が設けられ、該軸孔に桿を挿入し、前記一対の支柱を強固固定することを特徴としている。
【発明の効果】
【０００９】  本発明によれば、シート巻取りドラムの軸方向長さを調整しなくても種々の開口部の幅に対応して、設置可能とした、シャッター式日除けを提供することができ、コスト高とならず、また、ガイドレールに取付挟持ブラケットを嵌合し、ねじで締め付け固定するため、シャッター式雨戸に傷をつけず、素人でも簡単に取付けることが出来る。
【発明を実施するための最良の形態】
【００１０】  以下、本発明の実施形態を図面に基づいて説明する。
本発明の、シャッター式日除けは図１〜図３に示すように、シート巻取りドラム１と、シート巻取りドラム１の両端を支持する支持枠２と、該支持枠２を建物のシャッター式雨戸の開口部Ａの上縁に沿って保持するために、該開口部Ａの幅方向両端のガイドレールに設置される一対の支柱３、３と、該一対の支柱３、３に基部を連結され先端をシート巻取りドラム１から繰り出されたシート４の先端の張出用バー５に連結された一対の支持アーム６，６とを備え、前記一対の支柱３、３により前記支持枠２をシート巻取りドラム１の軸方向の任意の位置で保持可能としている。【００１１】  又、一対の支柱３、３の上端の取付挟持ブラケット１１には、該一対の支柱３、３に対向状に軸孔３５が設けられ、該軸孔３５に桿３６を挿入し、前記一対の支柱３、３を強固固定することが出来る。【００１２】  支柱枠２は、シート巻取りドラム１に軸方向に延びる主枠２ａと、この主枠２ａの前記軸方向両端に連結された端部軸受部２ｂ、２ｂとからなり、一方の端部軸受２ｂには、手動式巻取り巻き戻し手段７が設置されている。主枠２ａは、アルミ合金の引き抜き材で断面略Ｃ型チャンネル材とした場合を例示しているが、材質は、ステンレスその他の金属材料や合成樹脂材料で、構成しても良く断面形状もボックス型その他の形状としても良い。端部軸受部２ｂ、２ｂは合成樹脂製としているが、これも金属材料等構成しても良い。前記支柱３上下端には、ガイドレールへの取付挟持ブラケット１１、１２が取付けられている。これらの取付挟持ブラケット１１、１２はアルミ合金でも良い。【００１３】  取付挟持ブラケット１１、１２には、背板挟持部３３が連結金具３４を介して挟圧固定ネジ３２により取付けられており、金具片３４ａ、基板３１ａにより、ガイドレール４０を図３に示すように、前後から挟圧固定しうるようになっている。【００１４】  上端側の取付挟持ブラケット１１は、図４に示すように平板状の台座部１１ａと、この台座部１１ａの下面に形成されたキャップ部１１ｂと、台座部１１ａの上面に形成された前壁部１１ｃと、軸孔３５と中央円筒部１１ｆとを備えている。また、中央円筒部１１ｆは、台座部１１ａを貫通する円孔を有し、この円孔にクランプ部材１３の下部円柱部１３ａが回動及び、昇降可能に嵌挿されている。角軸部１３ｄには、図のように角孔１４ａをもつ操作レバー１４が係合され、この操作レバー１４は、ねじ１５によって下部円柱部１３ａの下端に固着されている。【００１５】  下部円柱部１３ａの周囲にはスプリング１６が挿入され、このスプリング１６は、台座部１１ａの下面と操作レバー１４の上面との間に圧縮介在せしめられている。このスプリング１６によって、クランプ部材１３には、常時、下方への押圧力が付与されている。【００１６】  上記構造によって、クランプ部材１３をクランプ解除位置からクランプ位置に回動させるときには、操作レバー１４を回動させると、位置決め突起１３ｃが傾斜カム面１１ｋによりスプリング１６の押圧力に抗して上昇しながらクランプ位置の凹部１１ｊに達し、この凹部１１ｊの位置でスプリング１６の押圧力により、該凹部１１ｊの底部まで落ち込む。これにより、クランプ部材１３は、クランプ位置に保持される。クランプを解除するには、操作ラバー１４をスプリング１６の押圧力に抗して上昇させ、位置決め突起１３ｃを凹部１１ｊから脱出させ、この状態で前記と逆方向に回動させると、後はスプリング１６の押圧力と傾斜カム面１１ｋの案内作用によって位置決め突起１３ｃをクランプ解除位置凹部１１ｊに嵌り込ませることが出来る。【００１７】  支持アーム６は、アルミ合金製のパイプ材が使用されていおり、その両端には、合成樹脂製の連結部材１９，２０が嵌合固着されている。先端側の連結部材１９は、図７（Ｃ）（Ｄ）（Ｅ）に示すように、一端が閉鎖端とされ、他端が開放されたキャップ部１９ａと、このキャップ部１９ａの閉鎖端の外側端面に一体的に延長形成された二股状の腕板部１９ｂ、１９ｂとを有している。キャップ部１９ａには、支持アーム６の先端が嵌合され、止めネジ穴１９ｃに止めネジ（図示省略）をねじ込むことによって固着される。二股状の腕板部１９ｂ、１９ｂは、延長端側が円形部とされ、この円形部の対向面周囲が面取り傾斜面とされており、この円形部の中央部には、ピン孔１９ｄ、１９ｄが形成されている。【００１８】  前記張出用バー５エンドキャップ１８の腕板部１８ｂと、支持アーム６の先端側の連結部材１９の二股状の腕板部１９ｂ、１９ｂとは、図７（Ｅ）に示すように、前者を後者の間に挟んで連結ピン２１により少なくとも、連結ピン２１の回りで回動可能に連結されている。この連結ピン２１は、二股状の腕板部１９ｂ、１９ｂのピン孔１９ｄ、１９ｄに対して殆ど隙間なしの状態で挿通され、その挿通端部にワッシャ２２を介してねじ２３をねじ込むことにより、抜け止めされている。上記連結ピン２１に対して、張出用バー５のエンドキャップ１８の腕板部１８ｂのピン孔１８ｅは、該連結ピン２１よりも大径に形成され、周囲に環状隙間を存在させている。また、該腕板部１８ｂの板厚に対して、二股状の腕板部１９ｂ、１９ｂの対向面間隔を大きく形成しており、この構成と前記環状隙間の構成とにより、張出用バー５と支持アーム６との連結部には、連結ピン２１の回りで味噌すり運動を可能とするような余裕のある回動連結構造を形成させている。【００１９】  また、支持アーム６の基端側の連結部材２０は、図８（Ａ）（Ｃ）に示すように、一端が開放端とされ、他端が閉鎖端とされたキャップ部２０ａと、このキャップ部２０ａの閉鎖端側の外側端面から軸方向に一体的に延長形成された円盤状腕板部２０ｂとを有している。キャップ部２０ａには、支持アーム６の基端が嵌合され、止めねじ２４で固定される。円盤状腕板部２０ｂの一方の面には、円形配置でセレーション凹部２０ｃが放射状に形成されており、このセレーション凹部２０ｃの円形配置の中央部にはダボ孔２０ｄが形成されている。【００２０】  これと対応して、支柱３の外周面には、図１、図３及び図８（Ｂ）（Ｃ）に示すように支持アーム６のアーム取付け部材２５が支柱３の回りで回動可能でしかも上下方向に摺動可能に遊嵌しており、蝶ネジやハンドル付きネジ等の固定具２６にとって支柱３の任意の高さで、しかも、支柱３の回りの任意の角度で固定可能としてある。アーム取付け部材２５は、図８（Ｂ）（Ｃ）に示すように、環体部２５ａと、この環体部２���ａの片側の側面に突設した円盤状腕板部２５ｂとを有し合成樹脂材料で製作されている。環体部２５ａは、支柱３に挿通しる貫通孔２５ｃを備えている。この貫通孔２５ｃの内周面は、図８（Ｂ）に示すように、軸方向中央部から両端部に向けて所定の勾配αで内径が拡大するテーパー孔とされており、外周面の一部に形成した止めネジ穴２５ｄに固定具２６（図１、図３参照）をねじ込むことによって、アーム取付け部材２５を支柱３に固定する場合、支柱の軸線に対してアーム取付け部材２５の軸線を傾斜した状態に取付け可能とし、いわゆる逃げを持たせてある。また、円盤状腕板部２５ｂの一方の面には、円形配置でセレーション凹部２５が放射状に形成されており、このセレーション凹部２５の円形配置の中央部には、円形ボス部２５ｆが形成され、この円形ボス部２５ｆ内にナット２５ｇが埋設してある。【００２１】  上記円形ボス部２５ｆは、支持アーム６の基端側の連結部材２０のダボ孔２０ｄに嵌合され、セレーション凸部２０ｃとセレーション凹部２５ｅとが嵌りあい、この状態で、ナット２５ｇに蝶ねじやハンドル付きネジ等の固定具２７をねじ込んで締め付けることにより、支柱３に対するアーム６の起伏角度を所望角度に固定保持させるものである。
ほん発明装置の実施形態は以上の構成からなるもので、次に、設置要領と動作の概略を説明する。
本発明装置の上記実施形態の構成によれば、開口部Ａの幅がシート巻取りドラム１の軸方向長さと異なる場合であっても、一対の支柱３、３の開口部Ａ幅方向両端の上下間に設置し、この一対の支柱３，３によりシート巻取りドラム１の支持枠２をシート巻取りドラム１の軸方向の対応位置で支持させてブラインド装置を設置することが出来る。【００２２】  また、前記一対の支持アーム６、６の先端は張出用バー５の両端に少なくとも垂直軸（連結ピン２１）回りで回動自在に連結され、前記支柱アーム６、６の基部は支柱３、３の中間部に垂直軸（支柱３の軸線）回りと水平軸（固定具２７）回りで回動角度調整可能に連結してあることによって、一対の支柱３、３の設置間隔が開口部Ａの幅によって変化しても、一対の支柱６、６をハの字状にすることができるため、シート４の先端の張出用バー５を支柱３、３に対して任意の起伏角度に調節して支持させることが出来、シート４に幅方向の皺より等を発生させることなく良好な張出し状態を維持させることが出来る。【００２３】  また、支柱３は、シャッター式雨戸の開口部Ａ幅方向両端のガイドレール上下間に移動可能としてあり、上下端の取付挟持ブラケット１１，１２をガイドレールに嵌合し、ねじ３２で連結金具を締め付け固定することが出来る。【００２４】  また、さらに、支柱３の上端取付挟持ブラケット１１の軸孔３５に桿を挿入して支柱３を強固に固定することができる。【００２５】  本発明装置の実施形態は以上からなるが、本発明は、この実施形態にのみ制約されるものではなく、特許請求の範囲に記載された意味と範囲内において、種々変形して実施することができるものである。
【図面の簡単な説明】
【００２６】
【図１】本発明装置の実施形態を示す概略斜視図である。
【図２】図１の実施形態の概略背面図
【図３】本発明装置の実施形態の拡大縦断側面図である。
【図４】（Ａ）は上端取付挟持ブラケットの平面図、（Ｂ）はその側面図  （Ｃ）は、中央円筒部に形成したクランプ部材の位置決め凹部の拡大側面図、（Ｄ）はクランプ部材の斜視図、（Ｆ）は操作レバーの斜視図である。
【図５】上端取付挟持ブラケットの斜視図である。
【図６】下端取付挟持ブラケットの斜視図である。
【図７】（Ａ）は張出用バーのエンドキャップの一部破断正面図、（Ｂ）はその側面図、（Ｃ）は支持アームの先端側の連結部材の側面図  （Ｄ）はその平面図、（Ｅ）は張出用バーのエンドキャップと支持アームの先端側の連結部材との連結状態を示す縦断側面図である。
【図８】（Ａ）は支持アームの基端側の連結部材の側面図、（Ｂ）は支柱に取付けられるアーム取付け部材の一部破断側面図、（Ｃ）は支持アームの基端側の連結部材と支柱にとりつけられるアーム取付け部材との連結状態を示す横断平面図である。
【符号の説明】
【００２７】１    シート巻取りドラム
２    支柱枠
３    支柱
４    シート
５    張出用バー
６    支持アーム
７    手動式巻取り巻き戻し手段
１１  上端取付け挟持ブラケット
１２  下端取付け挟持ブラケット
１３  クランプ部材
１４  操作レバー
１５  ねじ
１６  スプリング
１８  エンドキャップ
１９  先端側連結部材
２０  基端側連結部材
２１  連結ピン
２２  ワッシャ
２３  ねじ
２４  止めねじ
２５  アーム取付け部材
２６  固定具
２７  固定具
３２  挟圧固定ネジ
３４  連結金具
３５  軸孔
３６  桿
【図１】
2007113371.tif 000003
【図２】
2007113371.tif 000004
【図３】
2007113371.tif 000005
【図４】
2007113371.tif 000006
【図５】
2007113371.tif 000007
【図６】
2007113371.tif 000008
【図７】
2007113371.tif 000009
【図８】
2007113371.tif 000010